【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
所定の電圧の印加に応じて情報を表示するとともに、当該表示された前記情報を電力の供給がない状態で表示することが可能な記憶性表示体と、
前記情報が前記記憶性表示体にて表示されるように、前記記憶性表示体に前記所定の電圧を印加する駆動回路と、
前記駆動回路と独立して動作可能であり、前記電力の供給がない状態で表示している情報の消去に用いる電源に接続する情報消去用回路とを備えたことを特徴とする表示装置。
【請求項２】
前記電源は、外部電源であり、
前記情報消去用回路の接続を、基準電位を供給する端子と前記外部電源の電源端子とのいずれかの接続に切り替え可能な切り替え手段を備えたことを特徴とする請求項１に記載の表示装置。
【請求項３】
前記電源は、自装置に有する駆動用電源であり、
前記情報消去用回路の接続を、基準電位を供給する端子と前記駆動用電源の電源端子とのいずれかの接続に切り替え可能な切り替え手段を備えたことを特徴とする請求項１に記載の表示装置。
【請求項４】
前記切り替え手段は、手動で操作可能なスィッチであることを特徴とする請求項２又は３に記載の表示装置。
【請求項５】
前記外部電源との接続の有無が検出され、前記外部電源と接続されていることが検出された場合、前記切り替え手段は前記外部電源の電源端子に接続し、前記外部電源と接続されていないことが検出された場合、前記切り替え手段は前記基準電位を供給する端子に接続することを特徴とする請求項２に記載の表示装置。
【請求項６】
前記記憶性表示体は、表示層及び前記表示層を挟む一対の電極を含み、前記情報消去用回路と、前記一対の電極のうちの共通電極とが接続されることを特徴とする請求項１から５のいずれか１項に記載の表示装置。
【請求項７】
前記表示層は、色が異なる帯電粒子と分散媒とを含むことを特徴とする請求項６に記載の表示装置。
【請求項８】
表示層及び前記表示層を挟む一対の電極を含み、所定の電圧が印加されると情報を表示するとともに、当該表示された前記情報を電力の供給がない状態で表示することが可能な記憶性表示体と、前記情報が前記記憶性表示体にて表示されるように、前記記憶性表示体に前記所定の電圧を印加する駆動回路とを有する表示装置に表示されている情報を消去する表示装置の情報消去方法であって、
前記記憶性表示体に前記情報を表示させた前記駆動回路が動作しないときに、前記駆動回路とは独立して動作可能に設けられた情報消去用回路により、前記記憶性表示体の表示層を挟むように配置された一対の電極のうち少なくとも一方の電極に電源を接続し、前記一方の電極に所定電圧を印加することで前記記憶性表示体に表示させた前記情報を消去することを特徴とする表示装置の情報消去方法。
【手続補正２】
【補正対象書類名】明細書
【補正対象項目名】発明の名称
【補正方法】変更
【補正の内容】
【発明の名称】表示装置及び表示装置の情報消去方法
【手続補正３】
【補正対象書類名】明細書
【補正対象項目名】０００６
【補正方法】変更
【補正の内容】
【０００６】
上記課題を解決するために、本発明の表示装置は、所定の電圧の印加に応じて情報を表示するとともに、電力の供給がない状態で前記情報を表示することが可能な記憶性表示体と、前記情報が前記記憶性表示体にて表示されるように、前記記憶性表示体に前記所定の電圧を印加する駆動回路と、前記駆動回路と独立して動作可能であり、前記電力の供給がない状態で表示している情報の消去に用いる電源に接続する情報消去用回路とを備えたことを特徴とする。
なお、記憶性表示体としては、例えば、電気泳動表示体等、電力の供給がなくなってもそれまでの表示内容をそのまま表示し続ける表示体が挙げられる。
また、所定電源としては、外部電源や自装置の駆動用電源等が挙げられる。
【手続補正４】
【補正対象書類名】明細書
【補正対象項目名】０００７
【補正方法】変更
【補正の内容】
【０００７】
一方、本発明の表示装置の情報消去方法にあっては、表示層及び前記表示層を挟む一対の電極を含み、所定の電圧が印加されると情報を表示するとともに、当該表示された前記情報を電力の供給がない状態で表示することが可能な記憶性表示体と、前記情報が前記記憶性表示体にて表示されるように、前記記憶性表示体に前記所定の電圧を印加する駆動回路とを有する表示装置に表示されている情報を消去する表示装置の情報消去方法であって、前記記憶性表示体に前記情報を表示させた前記駆動回路が動作しないときに、前記駆動回路とは独立して動作可能に設けられた情報消去用回路により、前記記憶性表示体の表示層を挟むように配置された一対の電極のうち少なくとも一方の電極に電源を接続し、前記一方の電極に所定電圧を印加することで前記記憶性表示体に表示させた前記情報消去することを特徴とする。
さらに、前記記憶性表示体は、表示層及び前記表示層を挟む一対の電極を含み、前記情報消去用回路と、前記一対の電極のうちの共通電極とが接続されることが好ましい。
また、前記表示層は、色が異なる帯電粒子と分散媒とを含むものとすることが好ましい。
【手続補正５】
【補正対象書類名】明細書
【補正対象項目名】０００８
【補正方法】変更
【補正の内容】
【０００８】
上記の発明によれば、駆動回路によらず、一対の電極間に電圧を印可することができる。そのため、例えば、他人に見られては困る情報を表示させていたときに、装置が故障し、駆動回路が動作しなくなった場合にも、表示層に電圧を印加することができ、その結果、表示されている情報を消去させることができる。
また、本発明の表示装置にあっては、前記電源は、外部電源であり、前記情報消去用回路の接続を、基準電位を供給する端子と前記外部電源の電源端子とのいずれかの接続に手動切り替え可能なスィッチを備えたことを特徴とする。
基準電位を供給する端子としては、例えば、アース端子や、一定電圧を供給する端子が挙げられる。
さらに、外部電源との接続の有無が検出され、外部電源と接続されていることが検出された場合、前記切り替え手段は外部電源の電源端子に接続し、外部電源と接続されていないことが検出された場合、前記切り替え手段は前記基準電位を供給する端子に接続することが好ましい。
【手続補正６】
【補正対象書類名】明細書
【補正対象項目名】０００９
【補正方法】変更
【補正の内容】
【０００９】
本発明によれば、情報を表示させるときには、共通電極の接続先を、基準電位を供給する端子に切り替え、前記他方の電極の電位を制御させることで、表示層に任意の電圧を印可することができる。
また、駆動回路が動作しなくなり、前記他方の電極の電位が接地電位となったときに、表示されている情報を消去させるときには、共通電極の接続先を外部電源の電源端子に切り替えることで、表示層全体に同じ電圧を印可することができる。
【手続補正７】
【補正対象書類名】明細書
【補正対象項目名】００１０
【補正方法】変更
【補正の内容】
【００１０】
また、本発明の表示装置にあっては、前記自装置に有する駆動用電源であり、前記情報消去用回路の接続を、基準電位を供給する端子と自装置の駆動用電源の電源端子とのいずれかの接続に手動切り替え可能なスィッチを備えたことを特徴とする。
本発明によれば、情報を表示させるときには、共通電極の接続先を、基準電位を供給する端子に切り替え、前記他方の電極の電位を制御させることで、表示層に任意の電圧を印可することができる。
また、駆動回路が動作しなくなり、前記他方の電極の電位が接地電位となったときに、表示されている情報を消去させるときには、共通電極の接続先を駆動用電源の電源端子に切り替えることで、表示層全体に同じ電圧を印可することができる。
【手続補正８】
【補正対象書類名】明細書
【補正対象項目名】００１３
【補正方法】変更
【補正の内容】
【００１３】
また、一対の電極７、８は、表示層６を挟み込むように配置され、前面側を覆う透明電極７と、背面側を覆う非透明電極８とで形成される。また、透明電極７は、共通電極を形成し、接続先切り替えスイッチ４によって、アース端子１１に接続されたり、外部電源用コネクタ５のコネクタ電源端子１２（後述）に接続されたりする。さらに、非透明電極８は、マトリクス状に配置された複数の画素電極を形成し、ＴＦＴ駆動回路３によって、各画素電極それぞれが任意の電位とされる。
【手続補正９】
【補正対象書類名】明細書
【補正対象項目名】００１４
【補正方法】変更
【補正の内容】
【００１４】
さらに、ＴＦＴ駆動回路３は、非透明電極８に形成された複数の画素電極それぞれが、表示させる情報に応じた電位となるように、各画素電極のＴＦＴを駆動する。
また、接続先切り替えスイッチ４は、表示装置１の下端右側に配置され、左右にスライド操作可能なスライドスイッチで形成される。そして、接続切り替えスイッチ４は、右側にスライド操作されると、電気泳動表示体２の透明電極７をアース端子１１に接続し、左側にスライド操作されると、外部電源用コネクタ５のコネクタ電源端子１２（後述）に接続する。なお、接続先切り替えスイッチ４は、情報を表示させているときに、誤ってスライド操作されることがないように、筐体外側の凹部内にスライドバーが設けられている。
【手続補正１０】
【補正対象書類名】明細書
【補正対象項目名】００１６
【補正方法】変更
【補正の内容】
【００１６】
まず、情報を表示させるときには、接続切り替えスイッチ４を右側にスライド操作し、電気泳動表示体２の透明電極７をアース端子１１に接続させた後、ＴＦＴ駆動回路３に、各画素電極のＴＦＴを駆動させる。すると、透明電極７と非透明電極８との間に所定の電圧が印可され、それらの電極７、８に挟まれた任意のマイクロカプセル１０の帯電粒子９ａが透明電極７側に吸着され、その吸着された帯電粒子９ａによって、透明電極７側、つまり電気泳動表示体２の前面側に任意の情報が表示される。
【手続補正１１】
【補正対象書類名】明細書
【補正対象項目名】００１７
【補正方法】変更
【補正の内容】
【００１７】
また、会社の秘密情報を表示させていたときに、表示装置１を落としてしまい、ＴＦＴ駆動回路３が破損したとする。そして、ＴＦＴ駆動回路３が動作しなくなり、非透明電極８の電位が「０」、つまり、接地電位となり、ＴＦＴ駆動回路３によって表示を消すことができなくなってしまったとする。そのようなときには、接続先切り替えスイッチ４を左側にスライド操作し、電気泳動表示体２の透明電極７を外部電源用コネクタ５のコネクタ電源端子１２に接続させた後、外部電源供給用プラグ１４を外部電源用コネクタ５に差し込む。すると、電気泳動表示体２の透明電極７が外部電源供給用プラグ１４のプラグ電源端子１５と電気的に接続され、透明電極７の電位が＋１５Ｖとなり、透明電極７の電位が非透明電極８の電位より大きくなる。そして、それらの電極７、８に挟まれたマイクロカプセル１０の帯電粒子９ａが非透明電極８側に全て吸着され、その吸着によって、透明電極７側、つまり電気泳動表示体の前面側の全体に分散媒９ｂの色（白色）が表示とされ、表示されていた秘密情報が消去される。
【手続補正１２】
【補正対象書類名】明細書
【補正対象項目名】００１９
【補正方法】変更
【補正の内容】
【００１９】
なお、本実施形態では、接続先切り替えスイッチ４を左右にスライド操作可能なスライドスイッチで形成する例を示したが、これに限られるものではなく、例えば、外部電源用コネクタ５に外部電源供給用プラグ１４が差し込まれたことを検出するセンサで形成するようにしてもよい。そして、外部電源供給用プラグ１４が差し込まれたことが検出された場合には、外部電源用コネクタ５のコネクタ電源端子１２に接続し、差し込まれたことが検出されていない場合には、電気泳動表示体２の透明電極７をアース端子１１に接続するようにしてもよい。そのようにすれば、透明電極７の接続先を切り替える手間を省くことができ、また、情報を表示させているときに、接続先が誤って切り替えられてしまうことが防止される。
【手続補正１３】
【補正対象書類名】明細書
【補正対象項目名】００２０
【補正方法】変更
【補正の内容】
【００２０】
以上、図２及び図５の表示層６が特許請求の範囲の欄に記載の表示層を構成し、以下同様に、図２及び図５の透明電極７及び非透明電極８が電極を構成し、図１〜図３及び図５の電気泳動表示体２が記憶性表示体２を構成し、図２及び図５のＴＦＴ駆動回路３が駆動回路を構成し、図２及び図５の接続先切り替えスイッチ４及び外部電源用コネクタ５が情報消去用回路を構成し、図３のマイクロカプセル１０が封入領域を構成する。
【手続補正１４】
【補正対象書類名】明細書
【補正対象項目名】００２１
【補正方法】変更
【補正の内容】
【００２１】
また、本発明の表示装置及び情報消去方法は、上記実施の形態の内容に限定されるものではなく、本発明の趣旨を逸脱しない範囲で適宜変更可能である。
例えば、上記実施形態では、透明電極７の接続先をアース端子１１と外部電源用コネクタ５のコネクタ電源端子１２とのいずれかに切り替え可能とした例を示したが、これに限られるものではない。例えば、透明電極７の接続先を外部電源用コネクタ５のコネクタ電源端子１２に代えて、自装置の駆動用電源１７の電源端子１８に切り替え可能としてもよい。具体的には、図５に示すように、接続切り替えスイッチ４を、右側にスライド操作されると、電気泳動表示体２の透明電極７をアース端子１１に接続し、左側にスライド操作されると、自装置の駆動用電源１７の電源端子１８に接続するように構成する。なお、自装置の駆動用電源１７は、情報を表示させるときに、ＴＦＴ駆動回路３等といった、各回路を駆動するための電源である。